(57)【要約】  本発明のサッカーシューズ（１０）は、靴底（１２）と甲（１３）とで構成される靴部（１１）を含む。キャップ（１７）は、少なくともトウ部（１５）の本質的部分を覆うように前方部（１４）に固定される。キャップ（１７）は弾性プラスチック材、好ましくはヤング率の値が２．５以上５．０以下のもので成形される。【選択図】図１
2013526985.tif 000002
【特許請求の範囲】
【請求項１】
靴底と、
前記靴底に固定され、ユーザの足に隣接する内面、及び外面を有する前方部を提供する甲と、
前記ユーザによって蹴られるボールを当てるための先端面を有しつつ、前記前方部に固定されたキャップを含み、
前記キャップは衝撃に対して変形するように弾力材で形成されている、運動靴。
【請求項２】
前記先端面は凹面である、請求項１に記載の運動靴。
【請求項３】
前記キャップは前記先端面を提供している先頭部分と、後方に延びている凹形部分とを含んでいる請求項１又は２に記載の運動靴。
【請求項４】
前記弾性材はプラスチック材である請求項１〜３のいずれか１項に記載の運動靴。
【請求項５】
前記プラスチック材はポリマーである請求項４に記載の運動靴。
【請求項６】
前記ポリマーはシリコンゴムである請求項５に記載の運動靴。
【請求項７】
前記後方に延びている部分は、覆い（スカート）である請求項３に記載の運動靴。
【請求項８】
前記甲はトウ部を含み、前記キャップは前記トウ部を覆う請求項１〜７のいずれか１項に記載の運動靴。
【請求項９】
前記キャップは、前記前方部がその中に位置する後方向き空洞を含む請求項１〜８のいずれか１項に記載の運動靴。
【請求項１０】
前記キャップは、前記空洞を少なくとも部分的に囲む覆い（スカート）を含む請求項１に記載の運動靴。
【請求項１１】
前記覆い（スカート）は前記甲に固定された請求項１０に記載の運動靴。
【請求項１２】
前記弾性材のヤング率の値が２．５以上５．００以下である請求項１１に記載の運動靴。
【請求項１３】
前記ヤング率の値が３．２以上４．３以下である請求項１２に記載の運動靴。
【請求項１４】
前記キャップは前記トウ部よりも堅固である請求項１〜１３のいずれか１項に記載の運動靴。
【発明の詳細な説明】
【技術分野】
【０００１】
本発明は、特にサッカーシューズのような運動靴、しかしそれに限定されない運動靴に関する。
【背景技術】
【０００２】
特許文献１には、サッカーシューズについて記載されている。サッカーシューズの先端には、ボールに対するプレーヤの接触性を高めることを目的として凹部が設けられている。この凹部は、特にボールがキックされる方向に関して、プレーヤのボール制御を補助する。このサッカーシューズは、更に、プレーヤのボールの押し出し性をより少ない労力で高める目的も有している。また、特許文献２、特許文献３及び特許文献４には、プレーヤのボールのコントロール性を高めることを目的する様々なサッカーシューズが開示されている。
【先行技術文献】
【特許文献】
【０００３】
【特許文献１】国際公開第２００８０９８２８９号パンフレット
【特許文献２】独国特許出願公開第２６３７８０６号明細書
【特許文献３】独国実用新案第２００１７２０７号明細書
【特許文献４】独国実用新案第２０２００５０１５２４３号明細書
【発明の概要】
【発明が解決しようとする課題】
【０００４】
しかしながら、従来のサッカーシューズにおいては、生じた力を、サッカープレーヤのつま先に伝達してしまうデメリットがある。これは、しばしば不快であり、時には痛みさえ伴うことがある。
【０００５】
そこで、本発明は、上記デメリットを克服、あるいは実質的に改善することを目的とする。
【課題を解決するための手段】
【０００６】
ここで開示される運動靴は、靴底と、
前記靴底に固定され、ユーザの足に隣接する内面、及び外面を有する前方部を提供する甲と、
前記前方部に固定され、前記ユーザによって蹴られるボールを当てるための先端面を有するキャップを含み、
前記キャップは衝撃に対して変形するように弾力材で形成されている。
【０００７】
好ましくは、前記先端面は凹面である。
好ましくは、前記キャップは前記先端面を提供している先頭部分と、後方に延びている凹形部分とを含んでいる。
好ましくは、前記弾性材はプラスチック材である。
好ましくは、前記プラスチック材はポリマーである。
好ましくは、前記ポリマーはシリコンゴムである。
好ましくは、前記後方に延びている部分は、覆い（スカート）である。
好ましくは、前記甲はトウ部を含み、前記キャップは前記トウ部を覆う。
好ましくは、前記キャップは、前記前方部がその中に位置する後方向き空洞を含む。
好ましくは、前記キャップは、前記空洞を少なくとも部分的に囲む覆い（スカート）を含む。
好ましくは、前記スカートは前記甲に固定される。
好ましくは、前記キャップは前記トウ部よりも堅固である。
好ましくは、前記弾性材のヤング率の値が２．５以上５．００以下である。
好ましくは、前記ヤング率の値が３．２以上４．３以下である。
【図面の簡単な説明】
【０００８】
【図１】サッカーシューズの概略等角図。
【図２】図１のサッカーシューズの組立分解等角概略図。
【発明を実施するための形態】
【０００９】
添付の図面を例にして、本発明の好ましい形態について説明する。図１及び図２には、サッカーシューズ１０が概略的に示されている。サッカーシューズ１０は、靴底１２と甲１３とで構成される靴部１１を含む。従来の方法で、甲１３は、プレーヤの足が入る足用空洞１４が形成されるように、靴底１２の周囲に隣接してその靴底１２に固定されている。靴底１２及び甲１３の２つで、靴部１１に前方トウ部１５が形成される。トウ部１５は、空洞１４に向かい、かつプレーヤの足と隣接する位置にある内面を有する。トウ部１５はまた、外面１６も有する。
【００１０】
キャップ１７は、トウ部１５の少なくとも本質的部分を覆うように靴部１１に固定される。キャップ１７は、弾力性がありフレキシブルなプラスチック材で成形され、かつトウ部１５を形成するフレキシブルシート材よりも固い。キャップ１７は、キックされているボールを当てるために設けられた前方向き表面１８を含む。表面１８は、平坦、あるいは凹形であることが好ましい。キャップ１７は表面１８を提供する先端部１９と、その中にトウ部１５が位置する背面空洞２０を有する。キャップ１７は更に、キャップ１７に空洞２０と共に凹形の後方延伸部分２２を提供するように、先端部１９から後方に延びる覆い（スカート）２１を含んでいる。先端部１９と覆い（スカート）２１はプラスチック材で一体成形されていることが好ましい。
【００１１】
覆い（スカート）２１は空洞２０を囲むことが好ましい。更に、好ましい形態として、覆い（スカート）２１は甲１３にしっかりと固定されることが好ましい。
【００１２】
キャップ１７は身体の損傷を最小限にするため、弾性材で形成されている。例えば、サッカーの試合中に、プレーヤがそのサッカーシューズを誤って他のプレーヤに当ててしまった場合でも、キャップ１７は弾力的に変形し、それにより、ケガの危険性を最小にする。
【００１３】
ボールを蹴る時のプレーヤの足を保護するために、キャップ１７はトウ部１５より堅固であることが望ましい。
【００１４】
キャップ１７はゴム、合成ゴム、あるいはポリマー等のプラスチック材のような弾性材で形成されることが好ましい。ポリマーはシリコンゴムでよい。弾性材は、ヤング率の値が２．５以上５．０以下であることが好ましく、３．２以上４．３以下であればより好ましい。
【図１】
2013526985.tif 000003
【図２】
2013526985.tif 000004
【国際調査報告】
2013526985.tif 000005
2013526985.tif 000006